(57)【特許請求の範囲】
【請求項１】
電動ドライバー等の把持部（１０）の先端部に設けたビット保持部（１２）にビット（１４）を着脱自在に装着してこのビットを回転駆動するように構成した自動ドライバーにおいて、
前記ビットの先端部側に、このビットの先端部分を案内挿通するビット案内孔（１６）を備えたビットアタッチメント（１８）を、前記把持部との間に適宜連結部材（２０）を介して前進後退自在に配設し、
前記ビットアタッチメントの前記ビット案内孔と連通する先端開口部分に、取外しねじを分離収納し得る容積を有するねじ収納部（２２）を形成すると共に、このねじ収納部内の前記ビット案内孔との境界部に、収納されるねじ頭部の一部を当接係止させる段部（２４）を設け、
さらに前記ビットアタッチメントの前記ねじ収納部に対し、分離収納したねじを回収するためのねじ回収通路（２８）を分岐して設け、
前記ねじ回収通路に、バキュームポンプ（３４）を設けたバキュームパイプ（３０）を介してねじ回収ケース（３２）を連通接続し、
前記ビットアタッチメントと前記ビット保持部との間に圧縮コイルばね（３６）を設けて、前記ビットの先端部に対し、これを案内挿通する前記ビットアタッチメントに設けたビット案内孔の位置を、前記ばね作用と共に前進後退させることにより、ねじの取外しと分離回収とを行うように構成したことを特徴とする取外しねじの回収手段を備えた自動ドライバー。
【請求項２】
電動ドライバー等の把持部（１０）の先端部に設けたビット保持部（１２）にビット（１４）を着脱自在に装着してこのビットを回転駆動するように構成した自動ドライバーにおいて、
前記ビットの先端部側に、このビットの先端部を案内挿通するビット案内孔（１６）を備えたビットアタッチメント（１８）を、前記把持部との間にアクチュエータ（３８）を介して前進後退自在に配設し、
前記ビットアタッチメントの前記ビット案内孔と連通する先端開口部分に、取外しねじを分離収納し得る容積を有するねじ収納部（２２）を形成すると共に、このねじ収納部内の前記ビット案内孔との境界部に、収納されるねじ頭部の一部を当接係止させる段部（２４）を設け、
さらに前記ビットアタッチメントの前記ねじ収納部に対し、分離収納したねじを回収するためのねじ回収通路（２８）を分岐して設け、
前記ねじ回収通路に、バキュームポンプ（３４）を設けたバキュームパイプ（３０）を介してねじ回収ケース（３２）を連通接続し、
前記ビットアタッチメントと前記ビット保持部との間に圧縮コイルばね（３６）を設けて、前記アクチュエータを付勢することにより前記ビットアタッチメントを後退させてその状態を維持し、次いで前記アクチュエータの付勢を解除して前記ビットアタッチメントを前記ばね作用と共に前進させることにより、ねじの取外しと分離回収とを行うように構成したことを特徴とする取外しねじの回収手段を備えた自動ドライバー。
【発明の詳細な説明】
【０００１】
【発明の属する技術分野】
本発明は、ねじの取外し作業に適した電動式あるいは空圧式等により駆動する自動ドライバーに係り、特に数年で廃棄ないしリサイクルされる各種電子機器や多数のねじを使用して組立てられる各種家庭用機器類の分解に際して、ねじの取外しに簡便に利用することができる取外しねじの回収手段を備えた自動ドライバーに関するものである。
【０００２】
【従来の技術】
今日、製造販売されている多くの電子機器類は、多数のねじを使用して組立てられている。しかも、この種の電子機器類において、特にパソコン等は大量に生産され数年で廃棄ないしリサイクルされている。
【０００３】
この場合、廃棄ないしリサイクルされる電子機器類は、それぞれリサイクル可能な素材を分別することが不可欠であり、特にねじ類は確実に取外して回収除去する必要がある。
【０００４】
しかるに、従来においては、ねじ締め作業を迅速かつ確実に行うために、電動ドライバーの先端部分にねじを自動的に供給する機構を設けた構成からなる、自動ドライバーが種々提案され、実施されている。
【０００５】
例えば、ビス供給機構付き電動ドライバーとして、回転ビットの先端部に供給されたビス（小ねじ）を空気吸引力と磁力との作用により吸着し、ねじ孔にねじ込むように構成したものが知られている（特公昭５９−３７１９６号公報）。
【０００６】
この種の電動ドライバーにおいて、回転ビットの先端部、すなわち吸着ガイドの先端部分を包囲するキャッチャ本体に供給されるビスは、前記吸着ガイドに併設したビス自動供給管に対し、エアパイプを介して空気圧により１個づつ自動供給される。そして、前記ビス自動供給管を介してキャッチャ本体にビスが供給された時、電動ドライバーのスイッチをオン動作すれば、回転ビットが回転すると同時に、空気圧の作用によって電動ドライバー本体に固定した内筒および吸着ガイドと相対的に外筒が上昇し、回転ビットの先端にビスが空気吸引力と磁力との作用によって吸着される。さらに、外筒が内筒および吸着ガイドと相対的に上昇することにより、ビスを回転ビットの先端に吸着して回転している状態で、回転ビットの先端部が吸着ガイドの下部管状部分の下端より十分な長さ突出する。この時、ビスは回転ビットの先端に磁力の作用によって吸着されている。従って、この状態でビスのねじ締め作業を行うことができるものである。
【０００７】
このように、従来の電動ドライバー等においては、ねじ締め作業を迅速かつ簡便に行うことができるものは、種々提案されているが、ねじの取外しと共に、取外したねじを簡便にかつ円滑に自動回収するように構成した電動ドライバー等は、未だ提案され、あるいは実施されていない。
【０００８】
【発明が解決しようとする課題】
しかるに、前述した従来のビス供給機構付き電動ドライバーにおいては、ねじ締め作業を行う場合には、きわめて有効であるが、ねじの取外し作業を行う場合には、例えば前記ビス自動供給管を介して取外したねじを、空気吸引力により回収することが考えられるが、回転ビットを前進後退させる機構が複雑であって、本来的に取外したねじを確実に回収するのに便宜な構成にはなっていない。
【０００９】
すなわち、ねじの取外しに際しては、前述したような回転ビットを前進後退させるための複雑な機構は不要であり、また取外したねじを確実に回収するためには、取外したねじを回収する通路に対し導かれ易いような囲繞空間に、前記ねじを位置させることが必要である。
【００１０】
そこで、本発明者は、鋭意研究を重ねた結果、電動ドライバー等において、回転駆動するビットの先端部分に対して、ビットを案内挿通するビット案内孔を設けると共に、このビット案内孔の先端開口部分に取外しねじを収納し得るねじ収納部を形成し、前記ねじ収納部に取外しねじが収納された際に前記取外しねじの頭部の一部と当接してその頭部に形成したビット嵌合溝から前記ビットの先端刃部を分離する係止部を設け、さらに前記ビットから分離した取外しねじを回収するためのねじ回収通路を前記ビット案内孔より分岐して設けたビットアタッチメントを配設することにより、例えば前記ねじ回収通路にバキュームパイプを介してねじ回収ケースを連通接続すれば、取外しねじの回収を容易かつ確実にしかも迅速に達成することができるねじ取外し専用の電動ドライバーを得ることができることを突き止めた。
【００１１】
従って、本発明の目的は、電動ドライバー等における回転駆動するビットの先端部分に対し、比較的簡単な構成からなるビットアタッチメントを配設することにより、ねじの取外し作業と取外したねじの回収作業とを簡便にかつ確実にしかも迅速に達成することができる取外しねじの回収手段を備えた自動ドライバーを提供することにある。
【００１２】
【課題を解決するための手段】
前記の目的を達成するため、本発明の請求項１に記載の取外しねじの回収手段を備えた自動ドライバーは、電動ドライバー等の把持部（１０）の先端部に設けたビット保持部（１２）にビット（１４）を着脱自在に装着してこのビットを回転駆動するように構成した自動ドライバーにおいて、
前記ビットの先端部側に、このビットの先端部を案内挿通するビット案内孔（１６）を備えたビットアタッチメント（１８）を、前記把持部との間に適宜連結部材（２０）を介して前進後退自在に配設し、
前記ビットアタッチメントの前記ビット案内孔と連通する先端開口部分に、取外しねじを分離収納し得る容積を有するねじ収納部（２２）を形成すると共に、このねじ収納部内の前記ビット案内孔との境界部に、収納されるねじ頭部の一部を当接係止させる段部（２４）を設け、
さらに前記ビットアタッチメントの前記ねじ収納部に対し、分離収納したねじを回収するためのねじ回収通路（２８）を分岐して設け、
前記ねじ回収通路に、バキュームポンプ（３４）を設けたバキュームパイプ（３０）を介してねじ回収ケース（３２）を連通接続し、
前記ビットアタッチメントと前記ビット保持部との間に圧縮コイルばね（３６）を設けて、前記ビットの先端部に対し、これを案内挿通する前記ビットアタッチメントに設けたビット案内孔の位置を、前記ばね作用と共に前進後退させることにより、ねじの取外しと分離回収とを行うように構成したことを特徴とする。
【００１３】
本発明の請求項２に記載の取外しねじの回収手段を備えた自動ドライバーは、電動ドライバー等の把持部（１０）の先端部に設けたビット保持部（１２）にビット（１４）を着脱自在に装着してこのビットを回転駆動するように構成した自動ドライバーにおいて、
前記ビットの先端部側に、このビットの先端部を案内挿通するビット案内孔（１６）を備えたビットアタッチメント（１８）を、前記把持部との間にアクチュエータ（３８）を介して前進後退自在に配設し、
前記ビットアタッチメントの前記ビット案内孔と連通する先端開口部分に、取外しねじを分離収納し得る容積を有するねじ収納部（２２）を形成すると共に、このねじ収納部内の前記ビット案内孔との境界部に、収納されるねじ頭部の一部を当接係止させる段部（２４）を設け、
さらに前記ビットアタッチメントの前記ねじ収納部に対し、分離収納したねじを回収するためのねじ回収通路（２８）を分岐して設け、
前記ねじ回収通路に、バキュームポンプ（３４）を設けたバキュームパイプ（３０）を介してねじ回収ケース（３２）を連通接続し、
前記ビットアタッチメントと前記ビット保持部との間に圧縮コイルばね（３６）を設けて、前記アクチュエータを付勢することにより前記ビットアタッチメントを後退させてその状態を維持し、次いで前記アクチュエータの付勢を解除して前記ビットアタッチメントを前記ばね作用と共に前進させることにより、ねじの取外しと分離回収とを行うように構成したことを特徴とする。
【００１８】
【発明の実施の形態】
次に、本発明に係る取外しねじの回収手段を備えた自動ドライバーの実施例につき、添付図面を参照しながら以下詳細に説明する。
【００１９】
図１は、本発明に係る取外しねじの回収手段を備えた自動ドライバーの一実施例を示す概略構成図である。すなわち、図１において、参照符号１０は電動モータを内蔵した電動ドライバーの把持部を示し、この把持部１０の先端部には、ビット保持部１２を介して所要のビット１４が着脱自在に結合保持されている。
【００２０】
前記ビット１４の先端部には、このビット１４を案内挿通するビット案内孔１６を設けたビットアタッチメント１８を、前記電動ドライバーのビット保持部１２との間に、ワイヤ等の連結部材２０を介して結合して、前記ビットアタッチメント１８が前記ビット１４の先端部に対し前進後退自在に配置される。
【００２１】
しかるに、前記ビットアタッチメント１８は、ビット案内孔１６の先端開口部分に、取外しねじＳを収納し得る容積を有するねじ収納部２２を形成する。また、前記ねじ収納部２２の口径は、前記ビット案内孔１６の孔径より大きく設定し、従って前記ビット案内孔１６とねじ収納部２２との境界部において、前記寸法差によって形成される段部２４を、図示のようなテーパ状に形成する。
【００２２】
従って、このテーパ状の段部２４は、ねじＳの取外しに際し、ビット１４の先端刃部１４ａが、ビット案内孔１６を経てねじ収納部２２内に進入して、所要のねじ取付け対象物２６からねじＳを取外した後、前記ビット１４の先端刃部１４ａをビット案内孔１６内へ後退させる際に、前記ねじＳの頭部の一部が前記段部２４に当接係止して、その頭部に形成したビット嵌合溝から前記ビット１４の先端部刃部１４ａを分離させることができる。
【００２３】
そこで、前記ビット案内孔１６とねじ収納部２２との境界部分において、前記ビット１４の先端刃部１４ａから分離されたねじＳを回収するためのねじ回収通路２８を、前記ビット案内孔１６に対し分岐して設ける。
【００２４】
このような構成からなるビットアタッチメント１８は、前記ねじ回収通路２８にバキュームパイプ３０の一端を連通接続すると共に、このバキュームパイプ３０の他端をねじ回収ケース３２に連通接続し、そしてこのねじ回収ケース３２に対して適宜バキュームポンプ３４を連通接続する。従って、前記ねじ収納部２２において、電動ドライバーのビット１４によりねじ取付け対象物２６から取外されたねじＳが、前記ビット１４の先端刃部１４ａから分離された際に、バキューム作用によってねじ回収通路２８よりねじ回収ケース３２へ簡便にかつ確実にしかも迅速に回収することができる。
【００２５】
なお、図１において、参照符号３６は、電動ドライバーのビット保持部１２とビットアタッチメント１８のビット案内孔１６との間に位置するビット１４に対し、その外周を囲繞するように設けた圧縮コイルばねを示し、この圧縮コイルばね３６の弾力作用によって、連結部材２０により前記ビット保持部１２からの離間距離が規制されたビットアタッチメント１８に対し、ビット１４の先端刃部１４ａがビット案内孔１６の最大後退位置に常に迅速かつ適正に弾力復帰するように構成することができる。
【００２６】
次に、前記ビットアタッチメント１８によるねじＳの取外しからねじの回収に至る動作の詳細について、図２を参照しながら説明する。
【００２７】
まず、ねじ取付け対象物２６に取付けられているねじＳの上部に、本発明に係る電動ドライバーのビットアタッチメント１８の先端開口部分を位置決めする。これにより、前記ねじＳの頭部は、前記ビットアタッチメント１８に形成したねじ収納部２２内に位置する。そこで、電動ドライバーのビット１４の先端刃部１４ａをねじ収納部２２内に進入させて、ねじＳの頭部に形成したビット嵌合溝に嵌合係止させ、電動モータをねじ締め作業の場合とは逆方向に回転駆動させて、ねじＳの取外し作業を開始する〔図２の（ａ）参照〕。
【００２８】
前記ねじＳの取外し作業によって、ねじＳがねじ取付け対象物２６から完全に取外されると、ビット１４は圧縮コイルばね３６の弾力作用を受けながら迅速に後退し、この時ビット１４の先端刃部１４ａに嵌合係止しているねじＳの頭部が、前記ねじ収納部２２とビット案内孔１６の境界部に設けたテーパ状の段部２４に当接係止する〔図２の（ｂ）参照〕。そして、前記ビット１４の先端刃部１４ａは、前記ねじＳはその頭部に形成したビット嵌合溝から分離してその最大後退位置まで後退するに至る。
【００２９】
この結果、前記ビット１４の先端刃部１４ａから分離したねじＳは、バキュームパイプ３０（図１参照）に連通接続されたねじ回収通路２８へ、バキューム作用によって搬送され〔図２の（ｃ）参照〕、さらにバキュームパイプ３０を経て、ねじ回収ケース３２へ簡便にかつ確実にしかも迅速に回収することができる（図１参照）。
【００３０】
図３は、本発明に係る取外しねじの回収手段を備えた自動ドライバーの変形実施例を示すものである。すなわち、ねじの取外しに際しては、前述した実施例の図２の（ａ）に示すように、ビット１４の先端刃部１４ａを、ビットアタッチメント１８におけるねじ収納部２２の開口端部まで前進させて待機させる必要があり、このような作業は多数のねじの取外し作業を行う場合、その労力負担はきわめて大きい。
【００３１】
そこで、図３に示すように、電動ドライバーのビット保持部１２とビットアタッチメント１８との間に、前記実施例の連結部材２０に代えて、エアシリンダ等のアクチュエータ３８を結合配置する。このように構成することにより、ねじの取外し作業を開始する際には、前記アクチュエータ３８を付勢しておくことにより、ビット１４の先端刃部１４ａを、ビットアタッチメント１８におけるねじ収納部２２の開口端部まで自動的に前進させて、待機させておくことができる。すなわち、前記アクチュエータ３８により前記ビットアタッチメント１８を後退させて、その状態を維持させる。従って、この状態においては、ねじの取外し位置において、前記ビット１４の先端刃部１４ａをねじ頭部に形成したビット嵌合溝へ容易かつ迅速に嵌合係止させることができる。
【００３２】
次いで、電動モータを駆動してねじの取外し作業を行うに際しては、前記電動モータの駆動スッチと連動させて、前記アクチュエータ３８の付勢を解除するように設定すれば、ねじの取外し状態に対応してビット１４が圧縮コイルばね３６の弾力作用を受けながら後退し、その後前述した実施例と同様にしてねじの回収を行うことができる。
【００３３】
そして、電動モータの駆動を停止して、再びねじの取外し作業を行うに際しては、前記電動モータの停止動作と連動させて、前記アクチュエータ３８を付勢することにより、前述した動作を繰り返すことができる。
【００３４】
以上、本発明の好適な実施例について説明したが、本発明は前記実施例に限定されることなく、本発明の精神を逸脱しない範囲内において種々の設計変更をなし得ることは勿論である。
【００３５】
【発明の効果】
前述した実施例から明らかなように、本発明に係る取外しねじの回収手段を備えた自動ドライバーは、電動ドライバー等における回転駆動するビットの先端部分に対し、ビットを案内挿通するビット案内孔を設けると共に、このビット案内孔の先端開口部分に取外しねじを収納し得るねじ収納部を形成し、前記ねじ収納部に取外しねじが収納された際に前記取外しねじの頭部の一部と当接してその頭部に形成したビット嵌合溝から前記ビットの先端刃部を分離する係止部を設け、さらに前記ビットから分離した取外しねじを回収するためのねじ回収通路を前記ビット案内孔より分岐して設けたビットアタッチメントを配設した構成とすることにより、ねじの取外し作業と取外したねじの回収作業とを簡便にかつ確実にしかも迅速に達成することができる。
【００３６】
さらに、本発明に係る取外しねじの回収手段を備えた自動ドライバーを使用することにより、ねじの取外しと共にねじの取外しに際して発生する切り粉、その他の粉塵や塵埃等を同時に回収することができ、周囲環境の汚染を防止し、ねじ取外し作業に際しての環境衛生の保持と、作業の安全性および効率化とを、容易にかつ経済的に達成することができる。
【図面の簡単な説明】
【図１】本発明に係る取外しねじの回収手段を備えた自動ドライバーの一実施例を示す要部概略構成説明図である。
【図２】図１に示す取外しねじの回収手段を備えた自動ドライバーのビットアタッチメントのそれぞれ動作状態を示すものであって、（ａ）はねじの取外し状態を示す要部拡大断面図、（ｂ）はねじの取外し直後の状態を示す要部拡大断面図、（ｃ）は取外されたねじの回収される状態を示す要部拡大断面図である。
【図３】本発明に係る取外しねじの回収手段を備えた自動ドライバーの変形実施例を示す要部概略構成説明図である。
【符号の説明】
１０  把持部
１２  ビット保持部
１４  ビット
１４ａ  先端刃部
１６  ビット案内孔
１８  ビットアタッチメント
２０  連結部材
２２  ねじ収納部
２４  テーパ状の段部（係止部）
２６  ねじ取付け対象物
２８  ねじ回収通路
３０  バキュームパイプ
３２  ねじ回収ケース
３４  バキュームポンプ
３６  圧縮コイルばね
３８  アクチュエータ
Ｓ  ねじ
【図１】
0004280327.tif 000002
【図２】
0004280327.tif 000003
【図３】
0004280327.tif 000004